(57)【要約】【課題】  本発明は、布等で形成された造花等を心材として用い、この心材を覆うようにビーズを縫い付け等して取り付けることで、生花等で見られる微妙な曲面形状や雰囲気等を効果的に表現することができるビーズを用いた装飾体を得るにある。【解決手段】  布、樹脂シート等で草花等を模して形成された心材となるベース体と、このベース体を構成する各パーツの全面あるいは一部を覆うように縫い付けあるいは接着剤によって取り付けられた複数のビーズとで装飾体を構成している。【選択図】  図１
2005042273.tif 000002
【特許請求の範囲】
【請求項１】
布、樹脂シート等で草花等を模して形成された心材となるベース体と、このベース体を構成する各パーツの全面あるいは一部を覆うように縫い付けあるいは接着剤によって取り付けられた複数のビーズとからなることを特徴とする装飾体。
【請求項２】
布、樹脂シート等で草花等を模して形成された心材となるベース体と、このベース体に縫い付けあるいは接着剤によって取り付けられた複数のビーズとからなることを特徴とする装飾体。
【請求項３】
縫い付けても破損しない性状を有する、草花・種子等からなる乾燥植物類で構成された心材となるベース体と、このベース体に縫い付けあるいは接着剤によって取り付けられた複数のビーズとからなることを特徴とする装飾体。
【発明の詳細な説明】
【技術分野】
【０００１】  本発明は、ネックレス、指輪等に用いられるビーズを用いた装飾体に関する。
【背景技術】
【０００２】  従来、色とりどりのビーズを用いて、テグスや金属ワイヤー等で通してリング状にしたり、立体状等に編み上げていく等してアクセサリーを製作している。【０００３】  従来のビーズアクセサリーは、立体状にする場合、編み上げていくパターンが幾何学的であるため、草花等をモチーフにして立体的なものを製作しても、出来上がった作品はいずれも画一的で角々しく見え、重厚さに欠け、面白み・高級感に欠けるという欠点があった。また、予め、色の組み合わせや編み上げていく際のビーズの個数等、念入りに計算してから製作をしないと出来上がらないため、気軽に製作できないという欠点があった。
【発明の開示】
【発明が解決しようとする課題】
【０００４】  本発明は以上のような従来の欠点に鑑み、布等で形成された造花等を心材として用い、この心材を覆うようにビーズを縫い付け等して取り付けることで、生花等で見られる微妙な曲面形状や雰囲気等を効果的に表現することができ、重厚さと高級感をも出すことができるビーズを用いた装飾体を提供することを目的としている。【０００５】  本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【課題を解決するための手段】
【０００６】  上記目的を達成するため、本発明は布、樹脂シート等で草花等を模して形成された心材となるベース体と、このベース体を構成する各パーツの全面あるいは一部を覆うように縫い付けあるいは接着剤によって取り付けられた複数のビーズとで装飾体を構成してぃる。
【発明の効果】
【０００７】  以下の説明から明らかなように、本発明にあっては次に列挙する効果が得られる。【０００８】（１）布、樹脂シート等で草花等を模して形成された心材となるベース体と、このベース体を構成する各パーツの全面あるいは一部を覆うように縫い付けあるいは接着剤によって取り付けられた複数のビーズとで構成されているので、ベース体の形状を効果的に生かした立体にすることができる。また、ベース体の色合いに沿うようにビーズを選択して取り付けていくことができる。したがって、生花等で見られる微妙な曲面形状や色合い等、生花等の雰囲気を効果的に表現することができる。【０００９】（２）前記（１）によって、ベース体を覆うようにビーズが取り付けられるので、ベース体の立体感にビーズの立体感が加わることで、従来のビーズアクセサリーでは表現ができなかった重厚な立体感を表現することができる。【００１０】（３）前記（１）によって、ベース体の色合いに沿うように適宜ビーズを選択して取り付けていくことができるので、従来のようにビーズをテグス等を用いて編み上げていく際の念密な色合い等の構成をしなくても効果的に製作することができる。【００１１】（４）前記（１）によって、構造が簡単なので、誰もが気軽に作ることができる。【００１２】（５）請求項２、３も前記（１）〜（４）と同様の効果が得られる。
【発明を実施するための最良の形態】
【００１３】  以下、図面に示す本発明を実施するための最良の形態により本発明を詳細に説明する。【００１４】  図１ないし図３に示す本発明を実施するための最良の第１の形態において、１はアクセサリーとして用いることができる本発明の装飾体で、この装飾体１は、布、樹脂シート等で草花等を模して形成された心材となるベース体２と、このベース体２を構成する各パーツ２ａの全面あるいは一部を覆うように縫い付けあるいは接着剤によって取り付けられた、本形態では、図１に示すように、ベース体２の各パーツ２ａの全面を覆うように縫い付けによって取り付けられた複数のビーズ３とで構成されている。【００１５】  前記ベース体２は、例えば、市販されている造花を用いる。このような造花は、多様な形状や色彩のものがあるので、適宜選択して用いる。このベース体２への複数のビーズ３の取り付けは、以下のように行う。すなわち、先ず、ベース体２のビーズ３を取り付ける箇所の色合いに沿うようなビーズ３を適宜選択し、縫製用糸やテグス等、本実施の形態では、テグス４を用い、図２に示すように、縫い針５からテグス４に複数個挿通させた状態で、ベース体２の各パーツ２ａの表面側２ｂの所定の箇所に縫い付けて取り付ける。この場合、裏面側２ｃに縫い針５とテグス４が出された状態になる。【００１６】  次に、この状態で、図２および図３に示すように、裏面側２ｃに出された縫い針５およびテグス４に表面側２ｂに配された色合いのビーズ３を適宜選択して複数個通してから、前記表面側２ｂと対応する裏面側２ｃにビーズ３を縫い付ける。なお、この場合、裏面側２ｃに配される複数のビーズ３の配色を適宜変えて取り付けてもよい。また、本形態では、ビーズ３の取り付けは複数個をまとめて縫い付けていくように構成したものについて説明したが、本発明はこれに限らず、ビーズ３を１個づつ縫い付けていってもよい。【００１７】  このような作業を繰り返し、ベース体２の各パーツ２ａの形状に沿うように表面側２ｂおよび裏面側２ｃの全体をビーズ３で覆うように取り付ける。これにより、ベース体２の各パーツ２ａの全面がビーズ３で覆われるので、ベース体２が全体として重厚な立体感となる。なお、ベース体２にめしべ・おしべのパーツが付いている場合（図示せず）は、例えば、当該パーツを取り外し、めしべ・おしべとなるパーツを金属ワイヤーにビーズ３を通したもので別途製作し、金属ワイヤーの後端部をベース体２の花びら部分の根本部分に差し込んで束ねた状態にして、糸で縛り付ける等して固定して製作する。【００１８】  以上のようにして製作された装飾体１は、例えば、所定の金具を付けたり、多様なビーズと組み合わせる等してネックレス、ペンダント、指輪、イヤリング等のアクセサリーとして用いることができる。
｛発明を実施するための異なる形態｝【００１９】  次に、図４ないし図６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００２０】  図４に示す本発明を実施するための第２の形態において、前記第１の形態と主に異なる点は、ベース体２の各パーツ２ａの一部、本形態では縁部の表面側２ｂおよび裏面側２ｃに複数個のビーズ３を縫い付けて取り付けた点で、このようにビーズ３が取り付けられた装飾体１Ａにしても、前記第１の形態と同様の作用効果が得られる。【００２１】  図５に示す本発明を実施するための第３の形態において、前記第１の形態と主に異なる点は、ベース体２の各パーツ２ａの任意の一部分の表面側２ｂおよび裏面側２ｃに複数個のビーズ３を縫い付けて取り付けた点で、このようにビーズ３が取り付けられた装飾体１Ｂにしても、前記第１の形態と同様の作用効果が得られる。【００２２】  図６に示す本発明を実施するための第４の形態において、前記第１の形態と主に異なる点は、ベース体２の各パーツ２ａの表面側２ｂおよび裏面側２ｃに複数個のビーズ３が点在するように取り付けられた点で、このようにビーズ３が取り付けられた装飾体１Ｃにしても、前記第１の形態と同様の作用効果が得られる。【００２３】  なお、前記本発明を実施するための各形態において、ベース体２に用いられる材質は、布製のものについて説明したが、本発明はこれに限らず、樹脂シート材の他、例えば、厚手の和紙等を用いてもよい。また、ベース体２は、造花に限らず、縫い付けても破損しない性状を有する、草花・種子等からなる乾燥植物類、例えば、乾燥されたポプラコーン、ブナの実等を用いてもよく、この場合は、必要に応じて、ベース体２に透明樹脂コーティング等を施してもよい。【００２４】  さらに、前記本発明を実施するための各形態において、複数のビーズ３はベース体２の各パーツ２ａの表面側２ｂおよび裏面側２ｃを覆うように取り付けられたものについて説明したが、本発明はこれに限らず、例えば、各パーツ２ａの表面側２ｂだけに複数のビーズ３を取り付けたり、表面側２ｂあるいは裏面側２ｃだけに複数個のビーズ３を取り付けて構成してもよい。【００２５】  また、前記本発明を実施するための各形態において、ベース体２へのビーズ３の取り付けは、テグス４および縫い針５を用いた縫い付けによるものについて説明したが、本発明はこれに限らず、接着剤を用いて取り付けるように構成してもよい。
【産業上の利用可能性】
【００２６】  本発明はアクセサリーとして用いられる装飾体を製造する産業で利用される。
【図面の簡単な説明】
【００２７】
【図１】本発明を実施するための最良の第１の形態の説明図。
【図２】本発明を実施するための最良の第１の形態の製作時の説明図。
【図３】ビーズの縫い付け状態を示した一部断面図。
【図４】本発明を実施するための第２の形態の説明図。
【図５】本発明を実施するための第３の形態の説明図。
【図６】本発明を実施するための第４の形態の説明図。
【符号の説明】
【００２８】１、１Ａ〜１Ｃ：装飾体、  ２：ベース体、
３：複数のビーズ、        ４：テグス、
５：縫い針。
【図１】
2005042273.tif 000003
【図２】
2005042273.tif 000004
【図３】
2005042273.tif 000005
【図４】
2005042273.tif 000006
【図５】
2005042273.tif 000007
【図６】
2005042273.tif 000008